(57)【特許請求の範囲】
【請求項１】
遠心送風機と、
前記遠心送風機の回転軸を中心とした当該遠心送風機の外周側に配置される熱交換器と、
前記遠心送風機及び前記熱交換器を収容する筐体と、
前記熱交換器の前記遠心送風機と対向する側に設けられ、前記回転軸方向に延在するように形成される整流板と、
前記整流板の端部に近接する位置で前記筐体の内側から突出し、当該整流板の端部に当接する突起と、
を有する室内機を備えることを特徴とする空気調和機。
【請求項２】
前記熱交換器は、前記遠心送風機を囲むように筒状に形成されていることを特徴とする請求項１に記載の空気調和機。
【請求項３】
前記整流板は、前記遠心送風機の回転方向とは逆方向に傾斜していることを特徴とする請求項１に記載の空気調和機。
【請求項４】
前記突起は、前記整流板の傾斜方向と同じ方向に傾斜する傾斜面を有していることを特徴とする請求項３に記載の空気調和機。
【請求項５】
前記筐体は、可撓性断熱樹脂材料で形成され、前記突起は前記筐体との一体成形物であることを特徴とする請求項１に記載の空気調和機。
【発明の詳細な説明】
【技術分野】
【０００１】
本発明は、空気調和機に関する。
【背景技術】
【０００２】
従来、室内機が天井裏に配置される天井埋込み型の空気調和機が知られている。この室内機は、室内に臨むように配置される化粧パネルの上方、つまり天井裏に配置される筐体内に遠心ファンと室内熱交換器とが配置されている。この室内熱交換器としては、遠心ファンを取り囲むように筒状に形成され、板状の多数の放熱フィンが室内熱交換器の周方向に互いに隙間をあけて並ぶように冷媒管にて連結されたものが知られている。
【０００３】
また、回転する遠心ファンは、遠心方向に向かうベクトル成分と回転方向に向かうベクトル成分との合成によって、筒状の室内熱交換器の周方向に対して斜めに交差する方向に気流を発生させる。そして、この斜めに流れる気流の一部は、放熱フィン同士の間の隙間を通流する際に冷媒管内を流れる冷媒と熱交換を行う。また、この気流の残りの一部は、放熱フィン同士の間の隙間に侵入できずに、室内熱交換器の内側（遠心ファン側）を周方向に沿うように流れる。この周方向に流れる気流は、多数の放熱フィンのエッジ部を横切る際に風切音を発生させる。
【０００４】
従来、この風切音の発生を抑制する室内機としては、室内熱交換器の内側（遠心ファン側）に、複数の整流板を周方向に並ぶように配置したものが開示されている（例えば、特許文献１及び特許文献２参照）。
【０００５】
この整流板は、筒状の室内熱交換器の高さ方向に延在する細長い略矩形の板体で形成され、遠心ファンの回転方向とは逆の方向に板面が傾斜するように室内熱交換器の内側に接続されている。この整流板は、室内熱交換器の内側を周方向に流れようとする気流を堰き止めるとともに、気流を放熱フィン同士の間の隙間に効率よく導くように整流する。
したがって、このような整流板を有する室内機によれば、風切音の発生を効果的に抑制することができるとともに、室内熱交換器の熱交換性能を高めることができる。
【先行技術文献】
【特許文献】
【０００６】
【特許文献１】特開２０１４−１２６３０８号公報
【特許文献２】特開２０１４−１２９９９４号公報
【発明の概要】
【発明が解決しようとする課題】
【０００７】
ところで、従来の空気調和機の室内機（例えば、特許文献１及び特許文献２参照）においては、筒状の室内熱交換器の内側から外側に向けて効率よく空気を通流させるために、筒状の室内熱交換器の上端は筐体の天板に当接するように配置されている。
【０００８】
一方、整流板は、風切音の発生を抑制し、室内熱交換器の内側から外側に向けて効率よく空気の通流させる整流板の整流効果をより確実に発揮するように、筒状の室内熱交換器の高さ方向の全域にわたって延在するように設けることが望ましい。
【０００９】
しかしながら、室内熱交換器の上端が当接する筐体の天板の内側面は、この面に沿う方向に一律に平坦になってはいない。特に、室内熱交換器の上端周りの天板には、室内熱交換器の支持構造を形成するために、例えば傾斜部を含む凹凸が形成されている。したがって、整流板を室内熱交換器の高さ方向全域にわたって設けようとすると、天板の凹凸が整流板の上端に干渉するため、室内熱交換器の高さ方向の全域にわたって整流板を設けることは実質的に困難となっている。
【００１０】
また、天板の凹凸形状によって整流板の上端と天板との間には隙間が形成されることになるが、天板と整流板の上端との間にこのような隙間が形成されると、この隙間を通過する気流によって風切音が発生する恐れがある。また、室内熱交換器の上端近傍でその内側から外側に通過させるべき気流が前記の隙間に逃げることによって、室内熱交換器の上端近傍での熱交換性能が低下する恐れもある。
よって、風切音の発生を抑制するとともに室内熱交換器の熱交換性能を向上させる気流の整流効果を、より確実に発揮することができる室内機が望まれている。
【００１１】
本発明の課題は、風切音の発生を抑制するとともに室内熱交換器の熱交換性能を向上させる気流の整流効果を、より確実に発揮することができる室内機を有する空気調和機を提供することにある。
【課題を解決するための手段】
【００１２】
本発明者らは、筐体の所定の位置に突起を形成することで前記の気流の整流効果を、より確実に発揮させることができることを見出して本発明に到達した。
前記課題を解決した本発明の空気調和機は、遠心送風機と、前記遠心送風機の回転軸を中心とした当該遠心送風機の外周側に配置される熱交換器と、前記遠心送風機及び前記熱交換器を収容する筐体と、前記熱交換器の前記遠心送風機と対向する側に設けられ、前記回転軸方向に延在するように形成される整流板と、前記整流板の端部に近接する位置で前記筐体の内側から突出し、当該整流板の端部に当接する突起と、を有する室内機を備えることを特徴とする。
【発明の効果】
【００１３】
本発明によれば、風切音の発生を抑制するとともに室内熱交換器の熱交換性能を向上させる気流の整流効果を、より確実に発揮することができる室内機を有する空気調和機を提供することができる。
【図面の簡単な説明】
【００１４】
【図１】本発明の実施形態に係る空気調和機の構成説明図である。
【図２】本発明の実施形態に係る空気調和機を構成する室内機の縦断面図である。
【図３】図２のIII−III断面図である。
【図４】図２に示すIV部の部分拡大図である。
【図５】筐体に形成される突起の斜視図である。
【図６】（ａ）は、突起を下方から見上げた様子を示す平面図、（ｂ）は、突起の外側側面を含んで示す（ａ）のVIｂ−VIｂ断面図、（ｃ）は、突起の上流側傾斜側面を含んで示す（ａ）のVIｃ−VIｃ断面図、（ｄ）は、突起の下流側傾斜側面を含んで示す（ａ）のVIｄ−VIｄ断面図である。
【図７】（ａ）は、整流板の整流効果の説明図、（ｂ）は、突起の整流効果の説明図、（ｃ）は、整流体及び突起を備えていない比較例における気流の流れの説明図である。
【発明を実施するための形態】
【００１５】
次に、本発明を実施形態について適宜図面を参照しながら詳細に説明する。
本発明の空気調和機は、室内熱交換器の遠心送風機と対向する側に設けられる整流板と、筐体の内側から突出して整流板の端部に当接する突起と、を有する室内機を備えることを主な特徴とする。なお、室内熱交換器は、特許請求の範囲にいう「熱交換器」に相当する（以下同じ）。
【００１６】
以下では、空気調和機の全体構成について説明した後にこの空気調和機を構成する室内機について説明する。なお、本実施形態に係る空気調和機は、天井埋込型のものであり、後に詳しく説明する室内機が天井に埋め込まれている。
【００１７】
＜空気調和機の全体構成＞
図１は、本実施形態に係る空気調和機１の構成説明図である。
図１に示すように、空気調和機１は、室内機１ａと室外機１ｂとを備えており、室内機１ａと室外機１ｂとは配管２ａ，２ｂを介して接続されている。
室外機１ｂは、圧縮機５と、四方弁６と、室外膨張弁７と、室外熱交換器８とを備えている。室内機１ａは、室内熱交換器３と室内膨張弁４と、を備えている。
図１中、符号１０は室外熱交換器８に外気を送り込む室外送風機であり、符号３１は室内の空気を室内熱交換器３に送り込む室内送風機である。
【００１８】
この空気調和機１は、四方弁６を切り替えることで室内熱交換器３を蒸発器、室外熱交換器８を凝縮器として使用する冷房運転と、室内熱交換器３を凝縮器、室外熱交換器８を蒸発器として使用する暖房運転とを行うヒートポンプ式のものである。なお、図１に示す四方弁６の切り替え状態は、冷房運転時のものである。また、図１中、実線矢印Ｘは冷房運転時における冷媒の循環方向を示し、破線矢印Ｙは暖房運転時における冷媒の循環方向を示している。
【００１９】
例えば、冷房運転時の空気調和機１においては、圧縮機５で圧縮された高温高圧の冷媒は、四方弁６を通過して室外熱交換器８に流入し、空気との熱交換により放熱して凝縮する。その後、冷媒は、室内膨張弁４により等エンタルピ膨張し、低温低圧でガス冷媒と液冷媒とが混在した気液二相流となって室内熱交換器３へ流入する。そして、室内熱交換器３での液冷媒は、空気からの吸熱作用によりガス冷媒に気化する。つまり、液冷媒が気化する際に室内熱交換器３が周囲の空気を冷却することで空気調和機１は、冷房機能を発揮する。次いで、室内熱交換器３を出た冷媒は、圧縮機５へ戻って高温高圧に圧縮されると共に、再び四方弁６、室外熱交換器８、室内膨張弁４及び室内熱交換器３を循環する。つまり、この循環が繰り返されることで冷凍サイクルが構成される。
【００２０】
＜室内機＞
次に、室内機１ａについてさらに詳しく説明する。
図２は、室内機１ａの縦断面図である。なお、以下の室内機１ａの説明における上下方向は、この室内機１ａを天井９に埋め込んだ際の図２に示す上下方向を基準とする。
【００２１】
図２に示すように、室内機１ａは、室内１０に面するように天井９に取り付けられる化粧パネル３４と、化粧パネル３４の上方、つまり天井９裏に配置される筐体２１と、この筐体２１内に配置される室内送風機３１と、この筐体２１内で室内送風機３１の周囲に配置される前記の室内熱交換器３（熱交換器）と、を備えている。
【００２２】
化粧パネル３４は、筐体２１の下方に配置されている。化粧パネル３４は、後に詳しく説明する略筒状の筐体２１の断面形状よりも大きい平面形状を有する略盤状体で形成され、筐体２１の下方の開口を覆うように配置されている。この化粧パネル３４は、天井９に形成された取付開口９ａに嵌め込まれている。
【００２３】
この化粧パネル３４の中央部には、吸込グリル３４ｃが着脱自在に取り付けられ、この吸込グリル３４ｃには、前記の吸込口３４ａが形成されている。
また、化粧パネル３４には、吹出口３４ｂが形成されている。
【００２４】
この吹出口３４ｂは、筐体２１内での室内熱交換器３の下流側の空間、つまり室内熱交換器３の外周側と筐体２１との間に形成される空間と、室内１０とを連通させるように形成されている。ちなみに、本実施形態での吹出口３４ｂは、図示しないが、開口形状が細長の矩形を呈しており、吸込グリル３４ｃを囲むように四方に四か所形成されている。
図２中、符号１１は、吹出口３４ｂから吹き出される空気（風）の向きを変える風向板である。
【００２５】
筐体２１は、天板２２を有する多角形の筒状に形成されている。本実施形態での筐体２１は、例えば発泡スチロール等の可撓性を有する断熱樹脂材料で形成される内側部材２１ａと、この内側部材の外側に隣接して配置される板金等の剛性材料で形成される外側部材（図示省略）とを備えて構成されている。なお、以下の説明においては、筐体２１という表現は、内側部材２１ａを意味するものとし、外側部材（図示省略）については言及しないものとする。
筐体２１の下部に形成される開口には、前記のように化粧パネル３４が取り付けられている。
【００２６】
室内送風機３１は、遠心ファン３２と、ファンモータ３３とを備えて構成されている。この室内送風機３１は、特許請求の範囲にいう「遠心送風機」に相当する。
遠心ファン３２は、ファンモータ３３の回転軸３３ａを中心にして周方向に離間する複数の翼３２ａを有している。ファンモータ３３は、天板２２の中央部に配置され、このファンモータ３３の回転軸３３ａに、前記の遠心ファン３２が取り付けられている。
ちなみに、回転軸３３ａは、特許請求の範囲にいう「遠心送風機の回転軸」に相当し、この回転軸３３ａの延在方向は、特許請求の範囲にいう「回転軸方向」に相当する。
このようなファンモータ３３の回転力によって遠心ファン３２が回転すると、後記する吸込口３４ａから室内１０の空気が筐体２１内に吸い込まれ、後記する吹出口３４ｂから筐体２１内の空気が吹き出されるようになっている。この際、吸込口３４ａから吸い込まれた空気は、後記する室内熱交換器３を通過した後に吹出口３４ｂから吹き出されることとなる。
【００２７】
遠心ファン３２の下方には、吸込口３４ａとの間にベルマウス３５が配置されている。
ベルマウス３５は、吸込口３４ａから吸い込まれた空気を遠心ファン３２に効率よく導くための部材である。このベルマウス３５は、吸込口３４ａ側から遠心ファン３２側に向かって徐々に縮径する略管状体で形成されている。
ちなみに、ベルマウス３５の下面側には、室内機１ａの運転を制御するための制御基板（図示省略）を収容する電装品箱（図示省略）が配置されている。
符号３６は、ドレンパンである。ドレンパン３６は、室内熱交換器３の下方に配置され、冷房時に室内熱交換器３で生じた結露水を受けるためのものである。
図２中、符号２０は、後に詳しく説明する整流板である。
【００２８】
図３は、図２のIII−III断面図である。図４は、図２に示すIV部の部分拡大図である。
図３に示すように、室内熱交換器３は、遠心ファン３２を取り囲むようにして、略多角形（本実施形態では、略四角形）の筒状に形成されている。言い換えれば、室内熱交換器３は、室内送風機３１（図２参照）の回転軸３３ａ（図２参照）を中心としてこの室内送風機３１の外周側に配置されている。
本実施形態での室内熱交換器３は、フィンチューブ型のものである。この室内熱交換器３は、板状の多数の放熱フィン（図示省略）が互いに隙間をあけて並ぶように配置され、これらの放熱フィンが冷媒管（図示省略）にて連結されている。ちなみに、この室内熱交換器３は、薄い直方体形状のものを屈曲させて筒状に形成したものであり、放熱フィン（図示省略）は、筒状の室内熱交換器３の周方向に互いに隙間をあけて並ぶように配置されている。
なお、図３中、符号２２は、筐体２１の天板である。また、符号２０は、後記する整流板であり、符号２３は、後記するテーパ部２３ａを含む溝部であり、符号２４は、突起であり、符号３７は、仕切板であり、符号３８は、機械室であり、これらについては後に詳しく説明する。
【００２９】
図４に示すように、室内熱交換器３の上端は、筐体２１の天板２２に当接している。具体的には、室内熱交換器３の上端が天板２２に形成された溝部２３に嵌り込むことで、室内熱交換器３の上端が溝部２３の底２３ｂに当接している。
溝部２３は、底２３ｂから遠心ファン３２（図２参照）側に向けて斜めに立ち上がるテーパ部２３ａを有している。
このテーパ部２３ａは、室内熱交換器３の遠心ファン３２（図２参照）側で発生した気流を、溝部２３に嵌り込んだ室内熱交換器３の上端近傍に導くためのものである。
【００３０】
図３に示すように、このようなテーパ部２３ａを含む溝部２３は、室内熱交換器３に沿うように、室内熱交換器３の周方向Ｒ２に形成されている。つまり、溝部２３は、筐体２１の天板２２の内側（図３の紙面手前側）に、次に説明する仕切板３７が配置される一部分を除いて略環状に形成されている。ちなみに、本実施形態では、略四角形の略環状に形成されている。
【００３１】
仕切板３７は、屈曲させた室内熱交換器３の両端部を連結することによって、筐体２１内の空間を、遠心ファン３２が配置される室内熱交換器３の内側と、その室内熱交換器３の外側とに区画している。
つまり、遠心ファン３２が回転することによって、室内熱交換器３の内側の空気は、放熱フィン（図示省略）同士の隙間を通り、室内熱交換器３の外側に向かって流れることとなる。
【００３２】
さらに詳しく説明すると、方向Ｒ１に回転する遠心ファン３２は、遠心方向に向かうベクトル成分と回転方向Ｒ１に向かうベクトル成分との合成によって、筒状の室内熱交換器３の周方向Ｒ２に対して斜めに交差する方向に気流Ｓを発生させる。そして、この斜めに流れる気流Ｓの一部は、後に詳しく説明するように、放熱フィン（図示省略）同士の間の隙間を通流する際に冷媒管（図示省略）を流れる冷媒と熱交換を行う。
ちなみに、仕切板３７の外側には、筐体２１との間に、機械室３８が設けられている。この機械室３８には、前記の室内膨張弁４（図１参照）、図示しない配管の接続部等が収容される。
【００３３】
＜整流板＞
次に、整流板２０（図２参照）について説明する。
図２に示すように、整流板２０は、筒状の室内熱交換器３の高さ方向（図２の上下方向）に延在する細長い矩形の板体で形成されている。言い換えれば、整流板２０は、室内送風機３１の回転軸３３ａの軸方向に延在するように形成されている。
本実施形態での整流板２０は、整流板２０の一方の長辺側が室内熱交換器３の内側に接着剤で接合されたものを想定している。しかしながら、整流板２０の取付方法は、これに限定されるものではなく、室内熱交換器３に対して整流板２０を固定できればどのような方法であってもよい。例えば、整流板２０は、ブラケット（図示省略）等を介して室内熱交換器３の適所にねじ止め等により固定することもできる。また、整流板２０の取付方法としては、例えば、室内熱交換器３に引っ掛かる爪形状部（図示省略）を整流板２０の適所に形成し、この爪形状部を介してスナップフィットにより整流板２０を室内熱交換器２０に固定する方法を採用することもできる。
【００３４】
図３に示すように、整流板２０は、室内熱交換器３の内側、つまり遠心ファン３２と対向する側に設けられている。本実施形態での整流板２０は、室内熱交換器３と遠心ファン３２とが最も近づく、室内熱交換器３の内周側の４か所に設けられている。言い換えれば４つの整流板２０のそれぞれは、断面視で略四角形を呈する室内熱交換器３の四辺の略中央部に設けられている。
【００３５】
また、整流板２０は、遠心ファン３２の回転方向Ｒ１とは逆の方向に板面が傾斜するように室内熱交換器３に接続されている。
このような整流板２０の上端は、図４に示すように、次に説明する突起２４に当接している。
【００３６】
＜突起＞
図５は、筐体２１（天板２２）に形成される突起２４の斜視図であり、筐体２１から室内熱交換器３及び整流板２０を取り外して、図３のＶ方向から突起２４を見上げた様子を示す図である。なお、図５中、整流板２０は、仮想線（二点鎖線）で部分的に表している。また、図５中、筐体２１（天板２２）は、作図の便宜上、部分的に切り欠いて表している。
【００３７】
図５に示すように、突起２４は、整流板２０の上端に近接する位置で筐体２１（天板２２）の内側から突出し、整流板２０の上端と当接するようになっている。
本実施形態での突起２４は、筐体２１（天板２２）の溝部２３を構成するテーパ部２３ａから下方に向けて突出するように形成されている。図５中、符号２３ｂは、室内熱交換器３の上端が当接する溝部２３の底である。
本実施形態での突起２４は、図３に示すように、整流板２０に対応するように４つ設けられている。
【００３８】
図６（ａ）は、突起２４を下方から見上げた様子を示す平面図、図６（ｂ）は、突起２４の外側側面２４ａを含んで示す図６（ａ）のVIｂ−VIｂ断面図、図６（ｃ）は、突起２４の上流側傾斜側面２４ｂを含んで示す図６（ａ）のVIｃ−VIｃ断面図、図６（ｄ）は、突起２４の下流側傾斜側面２４ｃを含んで示す図６（ａ）のVIｄ−VIｄ断面図である。なお、図６（ａ）、（ｃ）及び（ｄ）には、仮想線（二点鎖線）で部分的に室内熱交換器３を表している。また、図６（ｂ）中、外側側面２４ａによって隠れて見えない下流側傾斜側面２４ｃとテーパ部２３ａとの境界は、隠れ線（破線）で示している。
【００３９】
図６（ａ）に示すように、突起２４は、下方から見上げたその平面視で略ひし形を呈している。
突起２４は、図６（ａ）、（ｂ）及び（ｄ）に示すように、遠心ファン３２（図３参照）が回転することによって生じる気流の方向Ｓ（図３参照）の上流側Ｕｓ（図６（ａ）及び（ｂ）参照）に、上流側傾斜側面２４ｂを有している。
この上流側傾斜側面２４ｂは、テーパ部２３ａから下方（図６（ａ）の紙面の手前側）に向かって立ち上がるとともに、遠心ファン３２（図３参照）の遠心方向Ｃｆ（図６（ａ）参照）に向かって登り勾配になっている。
【００４０】
また、突起２４は、図６（ａ）、（ｂ）及び（ｄ）に示すように、遠心ファン３２（図３参照）が回転することによって生じる気流の方向Ｓ（図３参照）の下流側Ｄｓに、下流側傾斜側面２４ｃを有している。
この下流側傾斜側面２４ｃは、テーパ部２３ａから下方（図６（ａ）の紙面の手前側）に向かって立ち上がって上流側傾斜側面２４ｂと背中合わせに形成されるとともに、遠心ファン３２（図３参照）の遠心方向Ｃｆ（図６（ａ）参照）に向かって下り勾配となっている。
【００４１】
また、突起２４は、図６（ａ）及び（ｂ）に示すように、第１頂上面２４ｄと第２頂上面２４ｅとを有している。第１頂上面２４ｄと第２頂上面２４ｅとは、溝部２３（テーパ部２３ａ）の開口縁２３ｃよりも下方に形成されている。つまり、突起２４は、開口縁２３ｃよりも下方に突出する後記の膨出部２４ｆを有している。ちなみに、第１頂上面２４ｄは、図６（ｂ）に示すように、溝部２３（テーパ部２３ａ）の底２３ｂと平行となるように形成され、溝部２３（テーパ部２３ａ）の開口縁２３ｃよりも下方に突出するように形成されている。また、第２頂上面２４ｅは、図６（ｂ）に示すように、溝部２３（テーパ部２３ａ）の開口縁２３ｃと第１頂上面２４ｄとの段差を吸収するように、第１頂上面２４ｄから開口縁２３ｃに向かって傾斜するように形成されている。
【００４２】
また、突起２４は、図６（ａ）、（ｃ）及び（ｄ）に示すように、室内熱交換器３の内側側面に当接する外側側面２４ａを有している。
なお、図６（ｂ）、（ｃ）及び（ｄ）における白抜き矢印は、上流側Ｕｓ（図６（ａ）参照）から下流側Ｄｓ（図６（ａ）参照）に向かって流れる気流Ｓを表している。
【００４３】
このような突起２４は、前記したように、可撓性を有する断熱樹脂材料使用して筐体２１（図５参照）を所定の型内で成形する際に、筐体２１（図５参照）の一部として一体に成形することができる。
【００４４】
再び図４に戻って、筐体２１の溝部２３に室内熱交換器３の上端を嵌め込むと、突起２４の外側側面２４ａは、室内熱交換器３の内側に当接するようになっている。
そして、室内熱交換器３に取り付けられた整流板２０の上端の高さは、本実施形態においては、溝部２３の開口縁２３ｃの高さと略同じに設定される。つまり、筐体２１（天板２２）との関係で整流板２０が位置決めされる際に、整流板２０の上端は、例えば発泡スチロール等の可撓性を有する断熱樹脂材料からなる突起２４の膨出部２４ｆに埋設されることとなる。
ちなみに、突起２４に当接する整流板２０との関係において、整流板２０の傾斜方向と、突起２４における上流側傾斜側面２４ｂの傾斜方向とは同じになるように形成されている。また、整流板２０の傾斜角度と上流側傾斜側面２４ｂの傾斜角度とは、一致させることが最も望ましい。
このような整流板２０の傾斜角度θ１と上流側傾斜側面２４ｂの傾斜角度θ２とは、０度＜θ１，θ２＜９０度の範囲で設定することができる。
【００４５】
次に、室内機１ａ（図３参照）に設けられた整流板２０（図３参照）及び突起２４（図３参照）の整流効果に言及しながら本実施形態に係る空気調和機１（図１参照）が奏する作用効果について説明する。
図７（ａ）は、整流板２０の整流効果の説明図、図７（ｂ）は、突起２４の整流効果の説明図、図７（ｃ）は、整流板２０及び突起２４を備えていない比較例における気流Ｓ，Ｓ１，Ｓ２の流れの説明図である。
【００４６】
本実施形態に係る空気調和機１（図１参照）は、遠心ファン３２（図３参照）が駆動すると、前記したように、室内熱交換器３（図３参照）の周方向Ｒ２（図３参照）に対して斜めに交差する方向に気流Ｓを発生させる。
【００４７】
ところで、図７（ｃ）に示すように、整流板２０（図３参照）及び突起２４（図３参照）を備えていない比較例では、この斜めの気流Ｓは、その一部が室内熱交換器３の放熱フィン（図示省略）同士の間の隙間を通流する気流Ｓ１となる。また、残りの気流Ｓ２は、放熱フィン（図示省略）同士の間の隙間に侵入できずに、室内熱交換器３の周方向Ｒ２に沿うように流れる。この周方向Ｒ２に沿って流れる気流Ｓ２は、前記したように、多数の放熱フィン（図示省略）のエッジ部（図示省略）を横切る際に風切音を発生させる。
【００４８】
これに対して、本実施形態に係る空気調和機１（図１参照）では、図７（ａ）に示すように、室内熱交換器３は、遠心ファン３２（図３参照）の回転方向Ｒ１と逆方向に傾斜する整流板２０を有している。
この整流板２０は、室内熱交換器３の周方向Ｒ２に流れようとする気流Ｓ２を堰き止めるとともに、気流Ｓ２を放熱フィン（図示省略）同士の間の隙間に効率よく導くように整流する。
また、図７（ａ）中、図示しないが、整流板２０の下流側では、整流板２０の板面に沿うように気流が流れるので、この気流は整流板２０の下流側においても放熱フィン（図示省略）同士の間の隙間に効率よく導かれる。
したがって、本実施形態での室内機１ａ（図２参照）によれば、風切音の発生を効果的に抑制することができるとともに、室内熱交換器３の熱交換性能を高めることができる。
【００４９】
また、本実施形態に係る空気調和機１（図１参照）では、図７（ｂ）に示すように、筐体２１（天板２２）は、溝部２３のテーパ部２３ａに突起２４を有している。この突起２４は、前記したように、テーパ部２３ａから下方（図７（ｂ）の紙面手前側）に向けて突出するとともに、この突起２４（図４参照）には、整流板２０の上端が当接している。
つまり、図５に示すように、テーパ部２３ａと整流板２０の上端とが離間していても、突起２４によってテーパ部２３ａと整流板２０の上端との間、言い換えれば筐体２１（天板２２）と整流板２０との間に隙間が形成されることが回避される。
【００５０】
したがって、前記の比較例のように、突起２４が無いとした場合に、整流板２０の上端とテーパ部２３ａとの隙間に気流が流れて風切音が生じるおそれがあるところ、本実施形態に係る空気調和機１（図１参照）では、突起２４によって当該隙間が形成されないので、風切音の発生をより確実に防止することができる。
【００５１】
また、本実施形態に係る空気調和機１（図１参照）では、図７（ｂ）に示すように、突起２４は、遠心ファン３２（図３参照）の遠心方向Ｃｆに登り勾配の上流側傾斜側面２４ｂを有している。
この上流側傾斜側面２４ｂを有する突起２４は、室内熱交換器３の周方向Ｒ２に流れようとする気流Ｓ２を堰き止めるとともに、気流Ｓ２を放熱フィン（図示省略）同士の間の隙間に効率よく導くように整流する。
また、突起２４の下流側では、図６（ｃ）に示すように、突起２４の下流側傾斜側面２４ｃに沿うように気流Ｓが流れるので、この気流Ｓは突起２４の下流側においても放熱フィン（図示省略）同士の間の隙間に効率よく導かれる。
したがって、本実施形態での室内機１ａ（図２参照）によれば、突起２４の整流効果によって室内熱交換器３の熱交換性能を高めることができる。
【００５２】
また、本実施形態に係る空気調和機１（図１参照）では、例えば天板２２（図３参照）に組付けた室内熱交換器３（図３参照）に対して整流板２０（図３参照）を後付けする場合に、整流板２０は、突起２４（図３参照）の位置に対応するように室内熱交換器３に対して取り付けることができる。つまり、この空気調和機１（図１参照）によれば、突起２４が整流板２０を取り付ける際の位置決めの目印になるので空気調和機１の製造効率を向上させることができる。
【００５３】
以上、本実施形態について説明したが、本発明は前記実施形態に限定されず、種々の形態で実施することができる。
前記実施形態では、筒状の室内交換器３を有する室内機１ａを例にとって説明したが、本発明は遠心送風機（室内送風機）の回転軸を中心とした当該遠心送風機の外周側に熱交換器が配置される構成であればよい。したがって、本発明は、遠心送風機をＵ字状に囲む熱交換器を有する室内機を備える構成とすることもできる。
また、前記実施形態では、天井埋込型の室内機1ａを有する空気調和機１について説明したが、本発明は室内壁に室内機を配置する空気調和機に適用することもできる。
【符号の説明】
【００５４】
１      空気調和機
１ａ    室内機
１ｂ    室外機
３      室内熱交換器（熱交換器）
４      室内膨張弁
５      圧縮機
６      四方弁
７      室外膨張弁
８      室外熱交換器
９      天井
１０    室内
２０    整流板
２１    筐体
２２    天板
２３    溝部
２３ａ  テーパ部
２４    突起
２４ｂ  上流側傾斜側面（傾斜面）
２４ｃ  下流側傾斜側面
２４ｄ  第１頂上面
２４ｅ  第２頂上面
２４ｆ  膨出部
３１    室内送風機（遠心送風機）
３２    遠心ファン
３２ａ  翼
３３    ファンモータ
３３ａ  回転軸
３４    化粧パネル
３４ａ  吸込口
３４ｂ  吹出口
３４ｃ  吸込グリル
３５    ベルマウス
３６    ドレンパン
【図１】
0006399942.tif 000002
【図２】
0006399942.tif 000003
【図３】
0006399942.tif 000004
【図４】
0006399942.tif 000005
【図５】
0006399942.tif 000006
【図６】
0006399942.tif 000007
【図７】
0006399942.tif 000008